(57)【要約】【課題】  従来の番組の検索方法では、番組の中から、面白そうな場面だけを正確に検索し、当該面白そうな場面を優先的に視聴することが容易でなかった。【解決手段】  本発明に係る番組推奨方法は、送信される番組を録画又は録音する工程と、前記録画又は録音された番組を構成する複数の場面の視聴を、当該場面の視聴率の大きさに応じた重み付けで推奨する工程とを含む。【選択図】  図１
2006054630.tif 000002
【特許請求の範囲】
【請求項１】
送信される番組を録画又は録音する工程と、
前記録画又は録音された番組を構成する複数の場面の視聴を、当該場面の視聴率の大きさに応じた重み付けで推奨する工程とを含むことを特徴とする番組推奨方法。
【請求項２】
前記番組の視聴率は、前記番組について視聴者が有する属性に基き分類された視聴者毎の番組の視聴率であることを特徴とする請求項１記載の番組推奨方法。
【請求項３】
複数の場面から構成される番組を送信する番組サーバ装置と、
前記番組サーバ装置から前記番組を受信する複数の第１のクライアント装置と、
前記複数の第１のクライアント装置から収集する前記場面の視聴率の算出に必要な情報に基づき算出する前記場面の視聴率を送信する視聴率サーバ装置と、
前記番組サーバ装置から前記番組を受信し当該番組を録画又は録音する第２のクライアント装置であって、当該録画又は録音された番組を構成する前記複数の場面の視聴を、前記視聴率サーバ装置から受信した前記場面の視聴率の大きさに応じた重み付けで推奨する前記第２のクライアント装置とを含むことを特徴とする番組推奨システム。
【請求項４】
前記番組の視聴率は、前記番組について前記複数の第１のクライアント装置が有する属性に基き分類された前記複数の第１のクライアント装置毎の番組の視聴率であることを特徴とする請求項３記載の番組推奨システム。
【請求項５】
番組サーバ装置に、複数の場面から構成される番組を送信させる工程と、
複数の第１のクライアント装置に、前記番組サーバ装置から前記番組を受信させる工程と、
視聴率サーバ装置に、前記複数の第１のクライアント装置から収集する前記場面の視聴率の算出に必要な情報に基づき算出する前記場面の視聴率を送信させる工程と、
第２のクライアント装置に、前記番組サーバ装置から前記番組を受信させ、当該番組を録画又は録音させ、当該録画又は録音された番組を構成する前記複数の場面の視聴を、前記視聴率サーバ装置から受信した前記場面の視聴率の大きさに応じた重み付けで推奨させる工程とを含むことを特徴とする番組推奨プログラム。
【請求項６】
前記番組の視聴率は、前記番組について前記複数の第１のクライアント装置が有する属性に基き分類された前記複数の第１のクライアント装置毎の番組の視聴率であることを特徴とする請求項５記載の番組推奨プログラム。
【発明の詳細な説明】
【技術分野】
【０００１】
本発明は、テレビ番組及びラジオ番組のような放送又は有線放送される番組を構成する複数の場面の視聴を推奨する番組推奨方法、当該推奨方法を使用する番組推奨システム、及び当該番組推奨システムに使用される番組推奨プログラムに関する。
【背景技術】
【０００２】
従来、例えば、下記の特許文献１に記載の録画シーン検索方法では、録画した番組、例えば、野球及びサッカー等の試合の番組に、”ホームラン”、”ゴール”等のような番組中の最も注目度が高い場面で、即ち、最も興味深い場面で発生されるであろう言葉を音声認識技術により認識し、当該認識された言葉を当該番組における前記注目度が高い場面の検索に役立つインデックス情報として付与し、これにより、前記番組の中から最も面白そうな場面を検索することを容易にしている。
【０００３】
【特許文献１】特開２００２−１３３８３７号公報
【発明の開示】
【発明が解決しようとする課題】
【０００４】
しかしながら、上記した従来の検索方法では、野球及びサッカー等の試合の番組において、”ホームラン”、”ゴール”等の言葉が発生していないにも拘わらず実際には面白い場面を、つまらない場面であるとして位置付けたり、反対に、”ホームラン”、”ゴール”等の言葉が発生しているにも拘わらず実際にはつまらない場面を、面白い場面であると位置付けることがあり、この結果、番組の中から、面白そうな場面だけを正確に検索し、当該面白そうな場面を優先的に視聴することが容易でないという問題があった。
【課題を解決するための手段】
【０００５】
本発明に係る番組推奨方法では、上記した課題を解決すべく、送信される番組を録画又は録音する工程と、前記録画又は録音された番組を構成する複数の場面の視聴を、当該場面の視聴率の大きさに応じた重み付けで推奨する工程とを含む。
【０００６】
本発明に係る番組推奨方法では、前記送信され、録画又は録音された番組を構成する複数の場面の視聴を、当該場面の視聴率の大きさに応じた重み付けで推奨することから、前記番組のうち、視聴率が大きい場面である面白そうな場面を他の場面より優先的に視聴することが可能となる。
【０００７】
本発明に係る番組推奨システムでは、複数の場面から構成される番組を送信する番組サーバ装置と、前記番組サーバ装置から前記番組を受信する複数の第１のクライアント装置と、前記複数の第１のクライアント装置から収集する前記場面の視聴率の算出に必要な情報に基づき算出する前記場面の視聴率を送信する視聴率サーバ装置と、前記番組サーバ装置から前記番組を受信し当該番組を録画又は録音する第２のクライアント装置であって、当該録画又は録音された番組を構成する前記複数の場面の視聴を、前記視聴率サーバ装置から受信した前記場面の視聴率の大きさに応じた重み付けで推奨する前記第２のクライアント装置とを含む。
【０００８】
本発明に係る番組推奨プログラムでは、番組サーバ装置に、複数の場面から構成される番組を送信させる工程と、複数の第１のクライアント装置に、前記番組サーバ装置から前記番組を受信させる工程と、視聴率サーバ装置に、前記複数の第１のクライアント装置から収集する前記場面の視聴率の算出に必要な情報に基づき算出する前記場面の視聴率を送信させる工程と、第２のクライアント装置に、前記番組サーバ装置から前記番組を受信させ、当該番組を録画又は録音させ、当該録画又は録音された番組を構成する前記複数の場面の視聴を、前記視聴率サーバ装置から受信した前記場面の視聴率の大きさに応じた重み付けで推奨させる工程とを含む。
【０００９】
本発明に係る番組推奨方法、番組推奨システム、及び番組推奨プログラムでは、前記番組の視聴率は、前記番組について視聴者又は前記複数の第１のクライアント装置が有する属性に基き分類された視聴者又は前記複数の第１のクライアント装置毎の番組の視聴率である。
【発明を実施するための最良の形態】
【００１０】
本発明に係る実施例の番組推奨システムについて図面を参照して説明する。
《構成》
【００１１】
本発明に係る実施例の番組推奨システム１は、送信された番組であって録画又は録音された前記番組を構成する複数の場面（シーン）を、当該場面の視聴率の大きさに応じた重み付けで推奨すべく、図１に示されるように、番組サーバ装置２と、視聴率サーバ装置３と、第１の複数のクライアント装置４〜７と、少なくとも一つ以上の第２のクライアント装置８〜１０とを含み、番組サーバ装置２と、視聴率サーバ装置３と、第１のクライアント装置４〜７と、第２のクライアント装置８〜１０とは、ネットワーク１１を介して相互に接続されている。
【００１２】
番組サーバ装置２は、図１に示されるように、通信部２０と、処理部２１と、記憶部２２とを有する。
【００１３】
通信部２０は、例えば、テレビ放送網及びコンピュータネットワーク等であるネットワーク１１を介して、記憶部２２が記憶する映画、ドラマ等、又は実時間（リアルタイム）で行われているスポーツの試合等のテレビ番組を、第１のクライアント装置４〜７、及び第２のクライアント装置８〜１０へ放送（無線放送及び有線放送の両方を含む。）する。
【００１４】
処理部２１は、例えば、アナログ／デジタル変換、デジタル／アナログ変換、符号器、復号器等を有し、通信部２０によるテレビ番組の放送に必要な処理を行う。
【００１５】
記憶部２２は、複数のテレビ番組、例えば、映画、音楽、バラエティ、ドラマ等のテレビ番組を予め記憶しており、また、通信部２０の通信動作及び処理部２１の処理動作を規定するプログラムを記憶している。
【００１６】
視聴率サーバ装置３は、図１に示されるように、番組サーバ装置２と同様に、通信部３０と、処理部３１と、記憶部３２とを有する。
【００１７】
通信部３０は、ネットワーク１１を介して、番組サーバ装置２からテレビ番組を受信し当該テレビ番組を視聴した第１のクライアント装置４〜７から、上記した場面の視聴率の算出に必要な、視聴に関する情報（以下、「視聴情報」という。）を受信し、また、当該視聴情報に基き処理部３１が算出した場面の視聴率を第２のクライアント装置８〜１０へ送出する。ここで、「視聴情報」とは、各クライアント装置４〜１０が視聴している番組及び場面のジャンル、その内訳、視聴開始時刻、視聴終了時刻、視聴時間等の情報をいう。
【００１８】
処理部３１は、上記したように、第１のクライアント装置４〜７から収集した視聴情報を用いて場面の視聴率を算出する。
【００１９】
記憶部３２は、図３に図示の各クライアント装置４〜１０の好みのジャンルと好みの程度との関係を示す関係表、即ち、番組について各クライアント装置４〜１０の属性を示す表、第１のクライアント装置４〜７から受信した視聴情報、処理部３１により算出された場面の視聴率、並びに、通信部３０の通信機能及び処理部３１の処理機能を規定するプログラムを記憶する。
【００２０】
第１のクライアント装置４は、入力部４０と、通信部４１と、処理部４２と、記憶部４３と、出力部４４とを有する。
【００２１】
入力部４０は、例えば、ボタン、マウス、又はキーボードであり、番組サーバ装置２が提供可能なテレビ番組のうち、ユーザが好むテレビ番組を指定するために用いられる。
【００２２】
通信部４１は、ネットワーク１１を介して、番組サーバ装置２から、テレビ番組を受信し、また、ネットワーク１１を介して、視聴率サーバ装置３へ視聴情報を送信する。
【００２３】
処理部４２は、前記番組サーバ装置２から受信したテレビ番組の視聴の結果として、視聴情報を生成する。
【００２４】
記憶部４３は、通信部４１及び処理部４２の動作を規定するプログラムを記憶している。
【００２５】
出力部４４は、例えば、液晶モニタ又はＣＲＴモニタであり、番組サーバ装置２から受信したテレビ番組を表示する。
【００２６】
他の第１のクライアント装置５〜７もまた、第１のクライアント装置４と同様な構成を有する。
【００２７】
第２のクライアント装置８は、第１のクライアント装置４〜７と同様な構成を有しており、入力部８０と、通信部８１と、処理部８２と、記憶部８３と、出力部８４とを有する。
【００２８】
入力部８０は、入力部４０と同様に、ボタン、マウス又はキーボードからなり、ユーザが好むテレビ番組を指定するために用いられる。
【００２９】
通信部８１は、ネットワーク１１を介して、番組サーバ装置２からテレビ番組を受信し、また、視聴率サーバ装置３から場面の視聴率を受信する。
【００３０】
処理部８２は、記憶部８３に録画又は録音されたテレビ番組を構成する複数の場面の視聴を、視聴率サーバ装置３から受信した場面の視聴率の大きさに応じた重み付けで推奨し、即ち、推奨の順位を決定する。
【００３１】
記憶部８３は、番組サーバ装置２から受信したテレビ番組、並びに通信部８１の通信動作及び処理部８２の処理動作を規定するプログラムを記憶する。
【００３２】
出力部８４は、記憶部８３に記憶されているテレビ番組の場面、通信部８１が視聴率サーバ装置３から受信した場面の視聴率、及び処理部８２により決定された推奨の順位を表示する。
【００３３】
《動作》
実施例の番組推奨システムでのクライアント装置を分類する動作について図２に沿って説明する。
【００３４】
工程Ｓ１０：視聴率サーバ装置３は、第１のクライアント装置４〜７及び第２のクライアント装置８〜１０に、各クライアント装置が興味を持つジャンル、例えば、スポーツ、映画、音楽、バラエティ、ドラマ等のジャンルを通知するように要求する。
【００３５】
工程Ｓ１１：第１のクライアント装置４〜７及び第２のクライアント装置８〜１０は、図３に示されるように、好みのジャンルについての詳細の内容（例えば、スポーツについての野球、サッカー等）、及びその好みの程度を視聴率サーバ装置３に送信する。例えば、クライアント装置４は、視聴率サーバ装置３に、スポーツの番組に関し、「野球」について「極めて興味がある（０．８）」旨、「サッカー」について「普通に興味がある（０．５）」旨、「テニス」について「あまり興味がない（０．２）」旨を通知する。
【００３６】
工程Ｓ１２：視聴率サーバ装置３は、第１のクライアント装置４〜７及び第２のクライアント装置８〜１０から受信する、各クライアント装置の好みのジャンル及びその好みの程度についての情報を整理することにより、図３に図示のような「クライアント装置と、好みのジャンル及びその程度との関係」を示す関係表を作成し、当該関係表を記憶部３２に格納する。視聴率サーバ装置３は、必要に応じて、ジャンル毎（スポーツ、映画等毎）に、またはジャンルの内訳毎（野球、サッカー等毎）に、クライアント装置４〜１０をクラスタリング（分類）する。視聴率サーバ装置３は、ジャンル毎に又はその内訳毎にクラスタリングすることに代えて又は加えて、クライアント装置のユーザの年齢、性別、居住地域、利用頻度毎にクラスタリングすることも可能である。
【００３７】
実施例の番組推奨システムでのクライアント装置による場面の視聴率に基く場面の推奨について図４に沿って説明する。
【００３８】
工程Ｓ２０：番組サーバ装置２は、第１及び第２のクライアント装置４〜１０からの要求に応じて、テレビ番組、例えば野球の試合の番組を送信する。
【００３９】
工程Ｓ２１：第１のクライアント装置４〜７は、前記野球の試合を実時間（リアルタイム）で受信しながら視聴し、その結果として、当該野球の試合についての視聴情報を視聴率サーバ装置３に送信する。他方で、第２のクライアント装置８〜１０は、前記野球の試合を、当該野球の試合を視聴することなく録画又は録音する。
【００４０】
工程Ｓ２２：視聴率サーバ装置３は、第１のクライアント装置４〜７から収集した視聴情報に基き、図５に示されるように、野球の試合について、例えば、コマーシャルの時間で区切られた場面Ｓ１〜Ｓ５毎の視聴率を算出する。図５では、野球の試合を見ている不特定人のクライアント装置の視聴率が、１０％近辺であまり変化しないこととは対照的に、野球への興味が強い（興味の程度が０．６〜１．０である）特定人（野球ファン）のクライアント装置の視聴率が、１０％から３５％までの範囲内で広く揺動して変化していることが示されている。
【００４１】
工程Ｓ２３：第２のクライアント装置８〜１０は、前記野球の試合の放送が終了すると、視聴率サーバ装置３に、図５に図示されたような、場面Ｓ１〜Ｓ５毎の視聴率を当該第２のクライアント装置８〜１０に送信することを要求する。視聴率サーバ装置３は、前記場面Ｓ１〜Ｓ５毎の視聴率の送信の要求を受信すると、前記第２のクライアント装置８〜１０に、前記場面Ｓ１〜Ｓ５毎の視聴率を送信する。
【００４２】
工程Ｓ２４：第２のクライアント装置８〜１０は、場面Ｓ１〜Ｓ５の視聴率を受信すると、図６に図示されたように、場面Ｓ１〜Ｓ５の場面番号、視聴率、及び推奨順位を出力部８４に表示する。第２のクライアント装置８〜１０は、より具体的には、図６（Ａ）に示されるように、視聴者が不特定人（野球が好きであるか否かを不問の視聴者）であるときには、場面Ｓ１〜Ｓ５の視聴率が１２％、９％、１３％、８％、１１％であることから、場面Ｓ１、Ｓ２、Ｓ３、Ｓ４、Ｓ５の推奨順位が、それぞれ、２位、４位、１位、５位、３位である旨を表示し、他方で、視聴者が特定人（野球ファン）であるときには、場面Ｓ１〜Ｓ５の視聴率が２８％、２２％、２０％、１４％、２４％であることから、場面Ｓ１、Ｓ２、Ｓ３、Ｓ４、Ｓ５の推奨順位が、それぞれ、１位、３位、４位、５位、２位である旨を表示する。
【００４３】
《効果》
上述したように、実施例の番組推奨システム１では、番組サーバ装置２が野球の試合を放送し、第１のクライアント装置４〜７が前記野球の試合を視聴し、当該視聴の結果である視聴情報を視聴率サーバ装置３に送信し、他方で、第２のクライアント装置８〜１０が前記野球の試合を録画又は録音する。視聴率サーバ装置３は、第１のクライアント装置４〜７から受信する、野球の試合についての視聴情報を基に場面Ｓ１〜Ｓ５毎の視聴率を算出し、前記第２のクライアント装置８〜１０からの求めに応じて場面Ｓ１〜Ｓ５の当該視聴率を前記第２のクライアント装置８〜１０に送信し、当該第２のクライアント装置８〜１０は、当該視聴率の大きさに対応する重み付けである推奨順位で場面Ｓ１〜Ｓ５の視聴を推奨する。これにより、第２のクライアント装置８〜１０のユーザは、番組を全体的に万遍無く視聴することなく、場面Ｓ１〜Ｓ５のうち、特に面白そうな場面のみを優先的かつ選択的に視聴することが可能となる。
【００４４】
〈変形例〉
上記したコマーシャルの時間を区切りに番組を複数の場面Ｓ１〜Ｓ５に分割することに代えて、例えば、番組中の個々の場面毎に付与された書誌的な情報（インデックス情報）であるメタデータに基き複数の場面に分割することによっても、上記したと同様な効果を得ることができる。
【図面の簡単な説明】
【００４５】
【図１】実施例の番組推奨システムの構成を示す図。
【図２】実施例の番組推奨システムの分類動作を示す図。
【図３】実施例の番組推奨システムの好みのジャンルと好みの程度との関係表を示す図。
【図４】実施例の番組推奨システムの推奨動作を示す図。
【図５】実施例の番組推奨システムの場面毎の視聴率を示す図。
【図６】実施例の番組推奨システムの場面番号、視聴率、推奨順位を示す図。
【符号の説明】
【００４６】
１  番組推奨システム    ２  番組サーバ装置    ３  視聴率サーバ装置    ４〜７  第１のクライアント装置    ８〜１０  第２のクライアント装置    １１  ネットワーク。
【図１】
2006054630.tif 000003
【図２】
2006054630.tif 000004
【図３】
2006054630.tif 000005
【図４】
2006054630.tif 000006
【図５】
2006054630.tif 000007
【図６】
2006054630.tif 000008